(57)【要約】【課題】  冷蔵庫のドアの開け閉めの際に起こるドアポケット部及び冷蔵室の冷気の無駄な流出及び外気の余計な流入を防ぐ電気冷蔵庫を提供する。【解決手段】  ドア３の裏面にドアポケット部８を囲む形で冷気取入口１５を備えた可透視の間仕切り用ボックス板７を設け、間仕切り用ボックス板７に可透視の扉１１を設ける。又、冷蔵室２の左右壁面にシャッター収納部４を設け、冷蔵室２の天井部にレール５ａを、そして、床部にレール５ｂを設ける。さらに、取っ手１２を備えた可透視の両開きシャッター６をレール５ａとレール５ｂの間にはめ込んで設け、レール５ａ及びレール５ｂの中央部にストッパー９を設ける。又、冷蔵室２の天井部で冷気取入口１５の真上に当たる箇所に冷気吹き出し口１０を設け、この冷気吹き出し口１０に冷却装置１７から通した冷気送風管１８を配設する。【選択図】  図１
2005049085.tif 000002
【特許請求の範囲】
【請求項１】
［０００１］  冷蔵室のドアの裏面にドアポケットを囲む形で可透視の間仕切り板を設け、間仕切り板に冷気取入口と可透視の扉を設け、冷蔵室の壁面にシャッター収納部を設け、冷蔵室の天井面と床面にレールを設け、レールとレールの間に可透視のシャッターを設け、冷蔵室の天井部もしくは床部もしくは壁面で冷気取入口の付近に当たる箇所に冷気吹き出し口を設け、冷却装置から通した冷気送風管を冷気吹き出し口に配設することを特徴とする電気冷蔵庫。
【請求項２】
冷蔵室の天井面のレールと床面のレールとの間の適当な間隔の位置に上下対応型のレールを設け、それぞれのレールの間にシャッターを設けることを特徴とする請求項１の電気冷蔵庫。
【請求項３】
冷蔵室のドアを開口してドアポケットを備えたドアポケット専用のドアを設けることを特徴とする請求項１の電気冷蔵庫。
【発明の詳細な説明】
【発明の詳細な説明】
【技術分野】
【０００１】  この発明は、冷蔵庫のドアの開け閉めの際に起こるドアポケット部及び冷蔵室の冷気の無駄な流出及び外気の余計な流入を防ぐために冷蔵室のドアの裏面にドアポケット部を囲む形で可透視の間仕切り板を設け、又、冷蔵室の前面開口部に可透視のシャッターを設けた電気冷蔵庫に関するものである。
【背景技術】
【０００２】  従来には、電気冷蔵庫の冷気流出防止のために、主収納室に透明塩化ビニール製などのカーテンを吸盤とかマジックテープなどを用いて装着する装置が使用されている。（例えば特許文献１参照）。
また、同じく電気冷蔵庫の冷気流出防止のために、庫内の開口部に蝶番などの枢着具を用いてプラスチックなどの透明体で片開きもしくは観音開きする装置を使用したり、庫内の天井面からリング等を用いてカーテンを吊るして開閉する装置が使用されている。（例えば特許文献２参照）。
また、同じく電気冷蔵庫の冷気流出防止のために、庫内の前面に透明ビニールシートなどのカーテンを両面粘着テープや磁気テープ・ロット式カーテン棒などを用いて装着する装置が使用されている。（例えば特許文献３参照）。【０００３】
【特許文献１】        特開平１１−２８１２３８号公報
【特許文献２】        特開平０８−０４９９６１号公報
【特許文献３】        実用新案登録３０６０２８９号公報
【発明が解決しようとする課題】
【０００４】  上述した従来の技術においては、カーテンを装着しての使用の場合は歪みやシワは避けられなく、その為、ドアの開閉の際に発生する風圧によって、その隙間からの冷蔵庫内の冷気の流出や外気の流入が起こり易い。又、片開き方式や観音開き方式など扉を手前に引いての使用においては、扉を片方の手で開いて押さえたままの状態での食料品の出し入れが必要であり、しかも、扉が完全に閉まった状態でないままドアを閉めた場合など、扉の破損や収納物への衝撃が起こり得る。
【０００５】又、上記の従来の技術に共通する欠点は、最も使用する頻度の高いドアポケット部の冷気の流出や外気の流入は何ら防ぐものではなく、それに、冷蔵室入り口付近をカーテンや扉で塞ぐ手段のみにおいてはドアポケット部に対する冷却装置からの冷気を遮断するだけの事であり、効果のある冷蔵手段とは言えない。
【課題を解決するための手段】
【０００６】  上記課題を解決するため、本発明を後述の参照符号にて対応させると、ドア３の裏面にドアポケット部８を囲む形で冷気取入口１５を備えた可透視の間仕切り用ボックス板７を設け、間仕切り用ボックス板７に可透視の扉１１を設ける。又、冷蔵室２の左右壁面にシャッター収納部４を設け、冷蔵室２の天井部にレール５ａを、そして、床部にレール５ｂを設ける。さらに、取っ手１２を備えた可透視の両開きシャッター６をレール５ａとレール５ｂの間にはめ込んで設け、レール５ａ及びレール５ｂの中央部にストッパー９を設ける。又、冷蔵室２の天井部で冷気取入口１５の真上に当たる箇所に冷気吹き出し口１０を設け、この冷気吹き出し口１０に冷却装置１７から通した冷気送風管１８を配設する。
本発明は、以上の構成よりなる電気冷蔵庫である。
【発明を実施するための最良の形態】
【０００７】  以下、本発明の実施の形態について説明すると、図１は本発明の斜視図で、ドア３の裏面にドアポケット部８を囲む形で冷気取入口１５を備えた可透視の間仕切り用ボックス板７を設け、間仕切り用ボックス板７に可透視の扉１１を設ける。又、冷蔵室２の左右壁面にシャッター収納部４を設け、冷蔵室２の天井部にレール５ａを、そして、床部にレール５ｂを設ける。さらに、取っ手１２を備えたガラス製もしくは合成樹脂製の可透視の両開きシャッター６をレール５ａとレール５ｂの間にはめ込んで設け、レール５ａ及びレール５ｂの中央部にストッパー９を設ける。又、冷蔵室２の天井部で冷気取入口１５の真上に当たる箇所に冷気吹き出し口１０を設け、この冷気吹き出し口１０に冷却装置１７から通した冷気送風管１８を配設する。【０００８】  本発明は上記のような構造で、これを使用する時は、主にペットボトル入り飲料や缶入り飲料、それにドレッシング類やマーガリンなど頻繁に使用するものにおいてはドア３を開いた上で扉１１を開けてドアポケット部８に収納もしくは取り出す。又、その他の食料品等においてはドア３を開き、シャッター６の左右いずれか必要な方をシャッター収納部４に収納させる形でスライドさせて開いた上で、冷蔵室２に収納もしくは取り出す。
したがって、頻繁に繰り返される事の多いドアポケット部８への収納もしくは取り出しにおいては冷蔵室２の開口部を塞ぐ形で設けたシャッター６の外側の行為で、しかも、間仕切り用ボックス板７に設けた左右いずれか必要な方の扉１１の開閉で済み、冷蔵室２に収納もしくは取り出しにおいてはドア３の裏面に設けた間仕切り用ボックス板７がドアポケット部８の冷気の流出や外気の流入を防いだまま、シャッター６の左右いずれか必要な方だけを必要な分だけスライドさせて開いて使用するため、冷蔵室２の冷気の無駄な流出及び外気の余計な流入を防ぐことができる。【０００９】  図９は本発明の第２実施形態を示す冷蔵室の正面図で、レール５ａとレール５ｂの間の適当な間隔の位置に上下対応型のレール５ｃを設け、それぞれのレールの間にシャッター６をはめ込んで設ける。【００１０】  本発明の第２実施形態は上記のような構造で、これを使用する時は食料品を冷蔵室の左側上部に収納もしくは取り出す際においては左側上部のシャッター６をシャッター収納部４に収納する形でスライドさせて開いた上で使用し、食料品を冷蔵室の右側下部に収納もしくは取り出す際においては右側下部のシャッター６をシャッター収納部４に収納する形でスライドさせて開いた上で使用する。【００１１】  図１０は本発明の第３実施形態を示すドアの正面図で、図１１は本発明の第３実施形態を示すドアの背面図を示しており、ドア３を開口してドアポケット部８を備えたドアポケット部８専用のドア３ａを外側から設け、ドア３の裏面にドアポケット部８を囲む形で可透視の間仕切り用ボックス板７を設ける。【００１２】  本発明の第３実施形態は上記のような構造で、これを使用する時は、ドアポケット部８に収納もしくは取り出す際においてはドア３に設けたドア３ａを開いて行ない、冷蔵室２に収納もしくは取り出す際においてはドア３を開いた上でシャッター６をシャッター収納部４に収納する形でスライドさせて開いて行なう。【００１３】  図１５は本発明の第４実施形態を示す平面図で、冷蔵室のドア３が左右両開きの場合においては、左右のドア３のドアポケット部８を左右それぞれに囲む形で冷気取入口１５ａ及び冷気取入口１５ｂを備えた可透視の間仕切り用ボックス板７を設け、間仕切り用ボックス板７に可透視の扉１１を設ける。そして、冷蔵室２の天井部の冷気取入口１５ａ及び冷気取入口１５ｂの真上に当たる箇所に冷気吹き出し口１０ａ及び冷気吹き出し口１０ｂをそれぞれ設け、この冷気吹き出し口１０ａ及び冷気吹き出し口１０ｂに冷気送風管１８ａ及び冷気送風管１８ｂをそれぞれ配設する。【００１４】  本発明の第４実施形態は上記のような構造で、これを使用する時は、ドアポケット部８に収納もしくは取り出す際においては左右必要な方のドア３を開いた上で必要な方の扉１１を開いて行なう。又、冷蔵室２に収納もしくは取り出す際においては左右必要な方のドア３を開いた上で必要な方のシャッター６をシャッター収納部４に収納する形でスライドさせて開いて行なう。
【発明の効果】
本発明を使用することによって、冷蔵庫のドアの開け閉めの際に起こるドアポケット部及び冷蔵室の冷気の無駄な流出及び外気の余計な流入を防げるため、これまで起こりがちであった冷蔵庫内の頻繁な温度変化による食料品の劣化の速度を改善すると共に、不必要な冷却運転の起動による無駄な電気代の発生を防ぐことができる。
【図面の簡単な説明】
【図１】本発明の斜視図である。
【図２】本発明のドアの背面斜視図である。
【図３】本発明の縦断左側面図である。
【図４】本発明のシャッターを閉めた状態を示す平面図である。
【図５】本発明のシャッターを開けた状態を示す平面図である。
【図６】本発明のシャッターの取り付け状態を示す断面図である。
【図７】本発明の冷蔵室の正面図である。
【図８】本発明の第２実施形態を示す冷蔵室の正面図である。
【図９】本発明の第３実施形態を示す冷蔵庫の正面図である。
【図１０】本発明の第３実施形態を示すドアの背面図である。
【図１１】本発明の第３実施形態を示すドアの平面図である。
【図１２】本発明の第４実施形態を示す冷蔵庫の正面図である。
【図１３】本発明の第４実施形態を示すドアの背面斜視図である。
【図１４】本発明の第４実施形態を示す平面図である。
【符号の説明】
１  冷蔵庫本体
２  冷蔵室
３，３ａ  ドア
４  シャッター収納部
５ａ，５ｂ，５ｃ  レール
６  シャッター
７  間仕切り用ボックス板
８  ドアポケット部
９  ストッパー
１０，１０ａ，１０ｂ  冷気吹き出し口
１１  扉
１２，１３，１６，１６ａ  取っ手
１４  蝶番
１５，１５ａ，１５ｂ  冷気取入口
１７  冷却装置
１８，１８ａ，１８ｂ  冷気送風管
１９  車輪
２０  車輪軸
【図１】
2005049085.tif 000003
【図２】
2005049085.tif 000004
【図３】
2005049085.tif 000005
【図４】
2005049085.tif 000006
【図５】
2005049085.tif 000007
【図６】
2005049085.tif 000008
【図７】
2005049085.tif 000009
【図８】
2005049085.tif 000010
【図９】
2005049085.tif 000011
【図１０】
2005049085.tif 000012
【図１１】
2005049085.tif 000013
【図１２】
2005049085.tif 000014
【図１３】
2005049085.tif 000015
【図１４】
2005049085.tif 000016